(57)【特許請求の範囲】
【請求項１】
早送り再生時において、所定の第１の字幕表示位置に表示されたn番目の字幕が消去されるときに、前記第１の字幕表示位置にn＋１番目の字幕を表示させ且つ所定の第２の字幕表示位置に前記n番目の字幕を表示させる手段を備えている光ディスク再生装置。
【請求項２】
前記第２の字幕表示位置に表示された字幕が、所定時間内に更新されないときには、その字幕を消去させる手段を備えている請求項１に記載の光ディスク再生装置。
【発明の詳細な説明】
【０００１】
【発明の属する技術分野】
この発明は、ＤＶＤプレーヤ等の光ディスク再生装置に関する。
【０００２】
【従来の技術】
圧縮された映像信号や音声信号からなるビットストリームが記録された記録媒体からビットストリームを読み取り、読み取ったビットストリームを元の映像記号や音声信号にデコードして、再生を行なう光ディスク再生装置が既に開発されていることは周知のことである。光ディスク再生装置との１つとして、ＤＶＤプレーヤがある。
【０００３】
ＤＶＤプレーヤで再生された字幕の表示は、ＤＶＤに記録されているＳＰＵ（サブピクチャユニット）内の表示制御コマンドにより、表示のオンオフが行なわれ、ＳＰＵの有効期間が終了したときには強制的に表示がオフにされる。ここで、ＳＰＵの有効期間とは、ＳＰＵのＰＴＳ（表示開始時間）から次に再生されるＳＰＵのＰＴＳまでの期間である。つまり、ディスクに記録されているデータに基づいて、字幕の表示がオンオフされる。
【０００４】
近年、時間短縮等の目的で、ＤＶＤに記録された映像を早送り再生できる機能を備えたＤＶＤプレーヤが開発されている。このような早送り再生を行なうと、字幕が速く切り替わるため、字幕が読み難くなるとい問題がある。
【０００５】
【発明が解決しようとする課題】
この発明は、早送り再生時において字幕が読み易くなる光ディスク再生装置を提供することを目的とする。
【０００６】
【課題を解決するための手段】
この発明による光ディスク再生装置は、早送り再生時において、所定の第１の字幕表示位置に表示されたn番目の字幕が消去されるときに、前記第１の字幕表示位置にn＋１番目の字幕を表示させ且つ所定の第２の字幕表示位置に前記n番目の字幕を表示させる手段を備えていることを特徴としている。
【０００７】
上記第２の字幕表示位置に表示された字幕が、所定時間内に更新されないときには、その字幕を消去させる手段を設けることが好ましい。
【０００８】
【発明の実施の形態】
以下、この発明を、早送り再生機能を備えたＤＶＤプレーヤに適用した場合の実施の形態について説明する。
【０００９】
図１は、ＤＶＤプレーヤの構成を示している。
【００１０】
ドライブ部１はディスクから情報を読み取る。ドライブ部１によって読み取られたビットストリームは、ＡＶデコーダ２に送られる。
【００１１】
ＡＶデコーダ２は、ドライブ部１から送られてくるビットストリームを内部のＤＥＭＵＸ（デマルチプレクサ）によってＰＣＩ情報（再生制御情報）、ビデオ情報、サブピクチャ情報及び音声情報にデマルチプレクスし、それぞれをＰＣＩデコーダ、ビデオ・デコーダ、サブピクチャ・デコーダ、オーディオ・デコーダによってデコードする。デコードされた各情報は、ＣＰＵ６が読み出し可能なＡＶデコーダ内部のメモリ３に記憶される。
【００１２】
デコードされたオーディオ信号、ビデオ信号およびサブピクチャ信号は、予め定められた転送タイミングによって同期が取られ、オーディオ信号はオーディオ出力され、ビデオ信号とサブピクチャ信号とは、ビデオミキサー７に送信される。
【００１３】
ユーザからの操作信号（リモコンからのリモコン信号及びキー入力信号）は、ユーザインタフェース部４を介して、ＣＰＵ６に入力される。オンスクリーン生成部５は、ＣＰＵ６の指示に従って図形情報を生成して、ビデオミキサー７に送る。ビデオミキサー７は、ＡＶデコーダ２から送られてきたビデオ信号およびサブピクチャ信号と、オンスクリーン生成部５から送られてきた図形情報とを１つのビデオ信号にミキシングして、ビデオ出力する。
【００１４】
上記ＤＶＤプレーヤは、早送り再生機能を備えている。また、上記ＤＶＤプレーヤは、早送り再生時に、字幕を通常時の表示制御とは異なる表示制御によって表示させる機能を備えている。
【００１５】
図２に基づいて、早送り再生時の字幕データの表示方法について説明する。
【００１６】
ここでは、字幕は横書きに表示されるものとする。また、映像表示領域の左上を原点（０，０）とし、字幕は映像表示領域内の位置（ｘ１，ｙ１）から表示されるものとする。また、字幕データの幅をＸｓ、字幕データの高さＹｓとする。
【００１７】
位置（ｘ１，ｙ１）から開始される字幕データ表示領域を第１表示領域Ｓ１ということにする。この実施の形態では、字幕を表示させるための領域として、第１表示領域Ｓ１の他、第２表示領域Ｓ２が設定されている。第２表示領域Ｓ２は位置（ｘ１，ｙ１−Ｙｓ−１）から開始される。
【００１８】
ＤＶＤプレーヤによってデコードされたＳＰＵ（サブピクチャユニット）単位の字幕データを、ＳＰＵ（ｎ），ＳＰＵ（ｎ＋１）、ＳＰＵ（ｎ＋２）…で表すことにする。これらの字幕データは、図３に示すように、メモリ３に蓄積された後、所定の表示開始タイミングで映像データにミキシングされて表示される。なお、メモリ３には、複数のＳＰＵを格納できる領域があり、循環的にＳＰＵが格納されるものとする。
【００１９】
以下、早送り再生時にＣＰＵ６によって実行される字幕表示処理手順について説明する。
【００２０】
（１）まず、字幕データＳＰＵ（ｎ）をメモリ３から読み出して、第１表示領域Ｓ１に表示させる。
（２）字幕データＳＰＵ（ｎ）の表示制御コマンドがオフとなるか、字幕データＳＰＵ（ｎ）の有効期間有効期間が終了したとき（次に再生される字幕データＳＰＵ（ｎ＋１）の表示開始時刻になったとき）には、第１表示領域Ｓ１に表示されている字幕データＳＰＵ（ｎ）の表示をオフするとともに、再度、字幕データＳＰＵ（ｎ）をメモリ３から読み出して、第２表示領域Ｓ２に表示させる。
（４）この後、字幕データＳＰＵ（ｎ＋１）をメモリ３から読み出して、第１表示領域Ｓ１に表示させる。
【００２１】
（５）字幕データＳＰＵ（ｎ＋１）の表示制御コマンドがオフとなるか、字幕データＳＰＵ（ｎ＋１）の有効期間有効期間が終了したとき（次に再生される字幕データＳＰＵ（ｎ＋２）の表示開始時刻になったとき）には、第１表示領域Ｓ１に表示されている字幕データＳＰＵ（ｎ＋１）の表示をオフするとともに、再度、字幕データＳＰＵ（ｎ＋１）をメモリ３から読み出して、第２表示領域Ｓ２に表示させる。つまり、第２表示領域Ｓ２に表示される字幕データを、ＳＰＵ（ｎ）からＳＰＵ（ｎ＋１）に切り替える。
（６）この後、字幕データＳＰＵ（ｎ＋２）をメモリ３から読み出して、第１表示領域Ｓ１に表示させる。
【００２２】
以降、このような処理を繰り返し行なう。なお、第２表示領域Ｓ２に表示した字幕データが表示され続けるのを防止するため、第２領域Ｓ２に表示した字幕データが予め定められた所定時間内に更新されない場合には、その表示を消去するようにすることが好ましい。
【００２３】
上記実施の形態によれば、早送り再生時において、字幕データの表示時間が長くなるため、字幕が読み易くなる。
【００２４】
【発明の効果】
本願発明によれば、早送り再生時において、所定の第１の字幕表示位置に表示されたn番目の字幕が消去されるときに、所定の第２の字幕表示位置に前記n番目の字幕を表示させるため、早送り再生時において、n番目の字幕が所定の第１の字幕表示位置に表示された後、これに連続して所定の第２の字幕表示位置にn番目の字を表示することができる。従って、n番目の字幕の連続表示時間が長くなり、早送り再生時であったとしても、n番目の字幕を読み易くすることが可能である。
【図面の簡単な説明】
【図１】ディスク再生装置の構成を示すブロック図である。
【図２】早送り再生時の字幕データの表示方法を説明するための模式図である。
【図３】メモリ３内に蓄積されたＳＰＵを示す模式図である。
【符号の説明】
１  ドライブ部
２  ＡＶデコーダ
３  メモリ
４  ユーザインタフェース部
５  オンスクリーン生成部
６  ＣＰＵ
７  ビデオミキサー
【図１】
0003902420.tif 000002
【図２】
0003902420.tif 000003
【図３】
0003902420.tif 000004